(57)【要約】      （修正有）【課題】モードダイヤルユニットや撮像装置の大型化、及び、コストを増加させることなくモードダイヤルの回転ロック解除の操作性を向上させた撮像装置を提供すること。【解決手段】タッチ検出が可能であり、タッチ検出した際は回転ロックの解除を行う撮像装置１００の回転操作部材ユニット１０５において、円筒状の摘み部を有する回転操作部材と、送信ノードパターンと受信ノードパターンで構成されるタッチ検出用電極と、回転操作部材と連動して回転し、タッチ検出用電極の一部と電気的に接続し、バネ性を有するタッチ検出用端子と、タッチ検出用端子と制御基板とを電気的に接続する回路基板を有し、タッチ検出用電極は、独立してタッチ検出が可能な４つ以上の電極に分かれて形成され、少なくとも２つ以上の電極でタッチを検知した場合は回転操作部材のロックを解除することを特徴とする。【選択図】図１
2016206358.tif 000002
【特許請求の範囲】
【請求項１】
回転させることで複数の動作モードの中から一つを選択可能であり、回転を規制するロック・解除手段を有し、タッチ検出が可能であり、タッチ検出した際は制御回路が動作し、制御回路からの指示により、タッチ検出している間は回転ロックの解除を行う撮像装置（１００）の回転操作部材ユニット（１０５）において、絶縁性の樹脂で形成され、円筒状の摘み部を有する回転操作部材（２０４）と、円筒状の摘み部の側面に沿って配置され、送信ノードパターン（３０１）と受信ノードパターン（３０２）で構成されるタッチ検出用電極（３０１、３０２、３０３、３０４）と、前記回転操作部材（２０４）に取り付けられ、前記回転操作部材（２０４）と連動して回転し、前記タッチ検出用電極（３０１、３０２、３０３、３０４）の一部と電気的に接続し、バネ性を有するタッチ検出用端子（２０８）と、前記タッチ検出用端子（２０８）と制御基板とを電気的に接続する回路基板（２０７）を有し、前記タッチ検出用電極（３０１、３０２、３０３、３０４）は、前記回転操作部材（２０４）の円筒状摘み部の円周に対し、独立してタッチ検出が可能な４つ以上の電極に分かれて形成され、少なくとも２つ以上の電極でタッチを検知した場合は前記回転操作部材（２０４）のロックを解除することを特徴とする撮像装置（１００）。
【請求項２】
前記隣接するタッチ検出用電極（３０１、３０２、３０３、３０４）がタッチされたと検知した場合は、タッチされた前記タッチ検出用電極（３０１、３０２、３０３、３０４）と対角に位置する所定の前記タッチ検出用電極（３０１、３０２、３０３、３０４）がタッチされるまでロックの解除を行わないことを特徴とする請求項１に記載の撮像装置（１００）。
【請求項３】
前記タッチ検出用電極（３０１、３０２、３０３、３０４）は、前記モードダイヤル（２０４）の表面に薄膜状の金属でパターニングすることを特徴とする請求項１に記載の撮像装置（１００）。
【請求項４】
前記タッチ検出用電極（３０１、３０２、３０３、３０４）は相互容量検出方式の電極パターンでパターニングすることを特徴とする請求項１に記載の撮像装置（１００）。
【請求項５】
前記タッチ検出用電極（３０１、３０２、３０３、３０４）は前記受信ノードパターン（３０２）を前記送信ノードパターン（３０１）で囲み、且つ、各電極の送信ノードパターン（３０１）を接続してコモンとすることを特徴とする請求項１に記載の撮像装置（１００）。
【請求項６】
前記タッチ検出用電極（３０１、３０２、３０３、３０４）の前記送信ノードパターン（３０１）のうち、少なくとも１本は前記回転操作部材（２０４）の外周に沿って、且つ、前記撮像装置１００の外観側の上端部を通るようにパターニングすることを特徴とする請求項１に記載の撮像装置（１００）。
【請求項７】
縦位置撮影時は、前記タッチ検出用電極（３０１、３０２、３０３、３０４）への通電を停止させることを特徴とする請求項１に記載の撮像装置（１００）。
【請求項８】
撮像装置（１００）のファインダーにおいて、接眼を検知している場合は、前記タッチ検出用電極（３０１、３０２、３０３、３０４）への通電を停止させることを特徴とする請求項１に記載の撮像装置（１００）。
【請求項９】
動画撮影中は、前記タッチ検出用電極（３０１、３０２、３０３、３０４）への通電を停止させることを特徴とする請求項１に記載の撮像装置（１００）。
【請求項１０】
記録用のメディアカードが挿入されるメディアスロットを覆う外装カバーが開いていると判断された場合は、前記タッチ検出用電極（３０１、３０２、３０３、３０４）への通電を停止させることを特徴とする請求項１に記載の撮像装置（１００）。
【発明の詳細な説明】
【技術分野】
【０００１】
本発明は、撮像装置に関し、特に撮影モードを変更する回転式操作部材の構造に関する。
【背景技術】
【０００２】
従来、一眼レフカメラには操作部材として回転させることでユーザーが所望する撮影モードに変更可能なモードダイヤルが設けられている。
【０００３】
前記のモードダイヤルには不用意に回転して撮影モードが変更されないよう、モードダイヤル中心部に設けられた押込みボタンを押し、回転防止のロック機構を解除しながらでないとモードダイヤルが回転出来ないような構成を採用しているものがある。
【０００４】
また、電子機器等の円筒状回転操作部材の外周面にタッチセンサを設けることでユーザーの指の接触検知を行い、例えば音量調節や画面のスクロールの信号入力に利用するといった構成が開示されている（特許文献１参照）。
【先行技術文献】
【特許文献】
【０００５】
【特許文献１】特開２００７−２００７３２号公報
【発明の概要】
【発明が解決しようとする課題】
【０００６】
従来、一眼レフカメラ等の撮像装置のモードダイヤルは、不用意に回転して撮影モードが変更されないよう、モードダイヤル中心部に設けられた押込みボタンを押し、回転ロック機構を解除しながらでないとモードダイヤルが回転出来ない構造となっている物が多い。
【０００７】
従い、ユーザーは１本の指でボタンを押し下げながら、他の２本の指でモードダイヤルを摘み、回転させるといった複雑な操作が必要となっていた。
【０００８】
そのため、撮影環境や被写体の変化に対応するための瞬時のモードダイヤルの設定変更操作が行い辛く、操作性の低下が懸念点となっていた。
【０００９】
加えて、押込みボタン機構、ロック解除機構を構成するために複雑な構造になってしまっており、それに伴って多数の部品が必要となっていた。
【００１０】
従来の撮像装置のモードダイヤル回転ロック機構の解除の操作性の改善、構造の簡素化、及び、部品点数を削減するため、回転ロック機構を解除する押し込みボタンの代わりに、電動のプランジャー等で回転ロック、及び、解除を行う方法も考えられる。
【００１１】
また、特許文献１では電子機器等の円筒状回転操作部材の外周面にタッチパネルからなるタッチセンサを設けることでユーザーの指の接触検知を行い、音量調節や画面のスクロール等の信号入力に利用するといった構成が開示されている。
【００１２】
例えば、特許文献１に開示の技術を、電動のプランジャー等で構成された回転ロック機構の解除トリガーとして応用しようとした場合、モードダイヤル周辺の限られた狭小スペースの中にタッチパネルの信号を引き回さなければならない。
【００１３】
タッチパネルの信号は可撓性のあるフレキシブルプリント基板（以下ＦＰＣ）等を用いて配線を行ったとしても、モードダイヤルは回転するため、回転に対応する余長をＦＰＣに設けなければならず、更にＦＰＣを収納するためのスペースも確保する必要が生じる。
【００１４】
従い、上述の特許文献に開示された従来技術のようにタッチパネルをモードダイヤルの円筒状側面に配設しようとすると、モードダイヤルユニット、しいては撮像装置全体が大型化してしまう。
【００１５】
また、タッチパネル自体が非常に高価なデバイスであるため、撮像装置のコスト増加にもつながってしまう。
【００１６】
そこで、本発明の目的は、モードダイヤルユニットや撮像装置の大型化、及び、コストを増加させることなくモードダイヤルの回転ロック解除の操作性を向上させた撮像装置を提供することにある。
【課題を解決するための手段】
【００１７】
上記の目的を達成するために、本発明の撮像装置は、回転させることで複数の動作モードの中から一つを選択可能であり、回転を規制するロック・解除手段を有し、タッチ検出が可能であり、タッチ検出した際は制御回路が動作し、制御回路からの指示により、タッチ検出している間は回転ロックの解除を行う撮像装置の回転操作部材ユニットにおいて、絶縁性の樹脂で形成され、円筒状の摘み部を有する回転操作部材と、円筒状の摘み部の側面に沿って配置され、送信ノードパターンと受信ノードパターンで構成されるタッチ検出用電極と、前記回転操作部材に取り付けられ、前記回転操作部材と連動して回転し、前記タッチ検出用電極の一部と電気的に接続し、バネ性を有するタッチ検出用端子と、前記タッチ検出用端子と制御基板とを電気的に接続する回路基板を有し、前記タッチ検出用電極は、前記回転操作部材の円筒状摘み部の円周に対し、独立してタッチ検出が可能な４つ以上の電極に分かれて形成され、少なくとも２つ以上の電極でタッチを検知した場合は前記回転操作部材のロックを解除することを特徴とする。
【発明の効果】
【００１８】
本発明によれば、モードダイヤルや撮像装置の大型化、及び、コストを増加させることなくモードダイヤルの回転ロック解除の操作性を向上させた撮像装置を提供することが可能となる。
【図面の簡単な説明】
【００１９】
【図１】本発明の実施形態に関わる撮像装置の主要な構成部品の斜視図である。
【図２（ａ）】本発明の実施形態に関わる外装カバーの外観面側から見たモードダイヤルユニットの分解斜視図である。
【図２（ｂ）】本発明の実施形態に関わる外装カバーの内面側から見たモードダイヤルユニットの分解斜視図である。
【図３（ａ）】本発明の実施形態に関わるモードダイヤルの外観面側から見た斜視図である。
【図３（ｂ）】本発明の実施形態に関わるモードダイヤルの内面側から見た斜視図である。
【図４（ａ）】本発明の実施形態に関わるタッチ検出用端子を撮像装置の内面側から見た場合の斜視図である。
【図４（ｂ）】本発明の実施形態に関わるタッチ検出用端子を撮像装置の外観面側から見た場合の斜視図である。
【図５（ａ）】本発明の実施形態に関わるモードダイヤル外周を４分割した際の電極ペア配置例を模式的に表した図である。
【図５（ｂ）】本発明の実施形態に関わるモードダイヤル外周を５分割した際の電極ペア配置例を模式的に表した図である。
【図５（ｃ）】本発明の実施形態に関わるモードダイヤル外周を６分割した際の電極ペア配置例を模式的に表した図である。
【発明を実施するための形態】
【００２０】
以下に、本発明の好ましい実施の形態を、添付の図面に基づいて詳細に説明する。
【実施例】
【００２１】
図１は本発明における撮像装置１００の主要な構成部品の斜視図である。
【００２２】
１０１はミラーボックスであり、マグネシウム合金や樹脂材料などで形成され、撮影レンズユニットの基準面となるマウント１０２が配置される。
【００２３】
ミラーボックス１０１には撮影レンズユニットからの被写体光束をファインダーの方向へ導くための不図示のメインミラーやファインダーユニット、フォーカルプレーンシャッタユニット、シーケンス機構等が配置される。
【００２４】
１０３は撮像装置１００の骨格となる本体シャーシであり、ステンレス鋼板のプレス曲げ加工等で形成され、ミラーボックス１０１と不図示の締結部材等により締結、固定される。
【００２５】
１０４は撮像装置１００の上面を覆う外装カバーであり、マグネシウム合金などで形成され、外観部については主に黒色の塗装が施される。
【００２６】
１０５はモードダイヤルユニットであり、外装カバー１０４に所定の回転角度分だけ回転可能な構成で組付けられ、ユーザーが摘んで回転させることで撮影時の撮影モードを変更することが可能である。
【００２７】
また、モードダイヤルユニット１０５は不図示の回転ロック機構により回転の規制、及び、解除が行われる。回転ロック機構によりモードダイヤルユニット１０５の回転がロックされている場合、ユーザーはモードダイヤル１０５の回転操作を行うことが出来ない。
【００２８】
回転ロック機構は電動のプランジャー等で構成され、制御回路の指示により制御される。
【００２９】
次に、図２（ａ）、（ｂ）は外装カバー１０４の外観面側から見たモードダイヤルユニット１０５の分解斜視図、及び、外装カバー１０４の内面側から見たモードダイヤルユニット１０５の分解斜視図である。
【００３０】
２０１はモードダイヤルベースであり、樹脂成型等で形成される。モードダイヤルベース２０１は図２（ｂ）に示すように外装カバー１０４の内面側から組み付けられ、外装カバー１０４に設けられた開口部からモードダイヤルベース２０１の一部が外装カバー１０４の外観面側に露出する構造となっている。
【００３１】
また、モードダイヤルベース２０１は外装カバー１０４に不図示の締結部材で固定される。
【００３２】
２０２はクリックプレートであり、プレス曲げ加工等で形成される。
【００３３】
２０３は撮像装置１００の電源スイッチレバーであり、樹脂成形等で形成され、摘み部を左右のいずれかに移動させることで、撮像装置１００のメイン電源のＯＮ、ＯＦＦを行う。
【００３４】
クリックプレート２０２はモードダイヤルベース２０１内に設けられた溝の中に組み込まれ、その上から重ねて電源スイッチレバー２０３が組み付けられる。
【００３５】
クリックプレート２０２は２つの凸形状を有し、その凸形状それぞれがモードダイヤルベース２０１内に同じく２箇所設けられたＷ形状の凹部から凹部へ、変位しつつ移動することで電源スイッチレバー２０３操作時のクリック感を出す構成としている。
【００３６】
２０４はモードダイヤルであり、絶縁性の樹脂等で形成され、電源スイッチレバー２０３の上からモードダイヤルベース２０１に組み付けられる。
【００３７】
図３（ａ）、（ｂ）はモードダイヤル２０４の外観面側から見た斜視図、及び、内面側から見た斜視図である。
【００３８】
図３（ａ）、（ｂ）に示す通り、モードダイヤル２０４の表面には金属薄膜などでタッチ検出用パターン３０１、３０２、３０３、３０４等が形成されている。
【００３９】
タッチ検出用パターン３０１、３０２、３０３、３０４は、例えばレーザーや化学薬品などで樹脂表面を荒らした後、メッキ工程にて樹脂表面にパターニングする方法で形成される。また、１０〜３０μｍの厚さの銅箔を加熱や加圧、接着材の併用等により樹脂に一体化させた後、エッチング処理によってパターニングする方法などで形成される場合もある。タッチ検出用パターンはパルスを入力する送信ノード３０１と、グランド（以下ＧＮＤ）に接地した受信ノード３０２に分かれている。
【００４０】
送信ノードパターン３０１にパルスを入力することで、受信ノードパターン３０２との間に電界を発生させる相互容量検出方式のタッチ検出電極パターンで構成している。例えば、ユーザーがこの電極をタッチした場合、電界の一部が人体との間で発生するため、送信ノード３０１と受信ノード３０２との間に形成された電界が減少する。この電界の減衰に伴う電荷の減少を測定することによってタッチを検知している。
【００４１】
この時、タッチ検出用パターンは送信ノード３０１が受信ノード３０２を囲み、ノイズ耐性を強化するような構成とすることが好ましい。本実施例では、図３（ａ）に示すように、送信ノード３０１がＬ字にパターニングされた受信ノード３０２を囲み、これを１ペアの電極ペアとして構成している。
【００４２】
また、図３（ｂ）３０３に示すように、送信ノード３０１はモードダイヤル２０４の内面側で各電極ペアの送信ノード３０１同士が接続され、コモンとなっている。
【００４３】
送信ノード３０１をコモンとすることで配線数を減少させ、モードダイヤル２０４、及び、モードダイヤルユニット１０５全体の大型化を抑制する構成としている。
【００４４】
また、送信ノード３０１と受信ノード３０２のパターンはモードダイヤル２０４の台座部３０４の位置までパターニングされている。
【００４５】
送信ノード３０１のパターンは、少なくとも１本がモードダイヤル２０４の外周に沿って、且つ、外観側の上端部を通るようにパターニングし、ユーザーの指の接触を確実に検知する構成とすることが好ましい。
【００４６】
また、台座部３０４の中心には他部品との係合を行う位置決め部２０４ａが形成されている。
【００４７】
次に、２０５はモードダイヤル２０４のローレットであり、モードダイヤル２０４を成形し、表面に電極パターンを形成した後、インサート成形等によりローレット２０５が形成される。
【００４８】
ローレット２０５は、ユーザー操作時の滑り止めとしての役割を有する。また、ローレット２０５の材料は、モードダイヤル２０４に形成された電極パターンのショートや、送信ノード３０１と受信ノード３０２間に生じる電界形成の妨げにならないよう、例えば、絶縁性のゴム材料等であることが好ましい。
【００４９】
上述の構成とすることで、ユーザーがローレット２０５の上からタッチ検出用パターンをタッチしてもタッチ検知が可能となっている。
【００５０】
２０６はモードダイヤルプレートであり、各撮影モードを表すマークや文字が印刷、又は、凸文字等で形成され、現在どの撮影モードとなっているのかをユーザーに知らしめる銘版である。モードダイヤルプレート２０６はモードダイヤル２０４の外観側上部の所定位置に接着剤や両面テープ等で固定される。
【００５１】
２０７はフレキシブルプリント基板（以下、ＦＰＣ）であり、モードダイヤルユニット１０５の位相、及び、操作を検出する信号のパターン等が配設され、ＦＰＣ２０７は両面テープでモードダイヤルベース２０１の所定位置に固定される。
【００５２】
また、ＦＰＣ２０７上に不図示の外部ストロボからの信号や、他ユニットなどから信号をパターニングし、ＦＰＣ２０７を共有化するようにしてもよい。ＦＰＣ２０７は制御回路が実装された不図示のプリント配線基板へとコネクタ等を介して接続される。
【００５３】
２０８はモードダイヤル２０４の表面に形成されたタッチ検出用パターンの送信ノード３０１、及び、受信ノード３０２と、ＦＰＣ２０７を電気的に導通させるためのタッチ検出用端子である。
【００５４】
図４（ａ）、（ｂ）はタッチ検出用端子２０８を撮像装置１００の内面側から見た場合の斜視図、及び、タッチ検出用端子２０８を撮像装置１００の外観面側から見た場合の斜視図である。
【００５５】
タッチ検出用端子２０８は、プレス曲げ加工等で形成された端子部４０１を樹脂でインサート成形し、樹脂部４０２を形成した構成となっている。
【００５６】
また、端子部４０１は各端子が樹脂部４０２内で独立しており、バネ性を有している。
【００５７】
樹脂部４０２の中心部にはモードダイヤル２０４の位置決め部２０４ａに係合させるための穴が空いており、図４（ｂ）に示す樹脂部４０２の面には端子部４０１の一部が接点部４０４として露出している。
【００５８】
接点部４０４はモードダイヤルの位置決め部２０４ａに係合した際、モードダイヤル２０４の台座部３０４まで配線されたパターンと当接することで、送信ノード３０１、及び、受信ノード３０２の信号は端子部４０１を介してＦＰＣ２０７に導通する。
【００５９】
２０９はモードダイヤル位相端子であり、タッチ検出用端子２０８と重畳してモードダイヤルの位置決め部２０４ａに係合される。
【００６０】
この時、モードダイヤル位相端子２０９はタッチ検出用端子２０８の樹脂部４０２上に重畳され、且つ、タッチ検出用端子２０８より更に外周に端子が配置される形状となっており、端子同士のショートなどが生じない構成としている。
【００６１】
モードダイヤル位相端子２０９の端子部はバネ性を有しており、タッチ検出用端子２０８と同じく、ＦＰＣ２０７上に配設された位相パターン上をモードダイヤル２０４に連動して回転することで、モードダイヤル２０４の各撮影モードの位相信号を導通させている。
【００６２】
２１０はクリック板であり、プレス加工等で形成され、外周部に波状形状を有している。クリック板２１０は、タッチ検出用端子２０８、及び、モードダイヤル位相端子２０９と重畳してモードダイヤルの位置決め部２０４ａに係合される。
【００６３】
また、クリック板２１０の波状部に不図示の金属球をコイルばね等で付勢させることでモードダイヤル２０４を各撮影モードの位相で停止させると共に、モードダイヤル２０４の回転時にクリック感触を生じるようにしている。
【００６４】
タッチ検出用端子２０８、モードダイヤル位相端子２０９、及び、クリック板２１０は締結部材２１２によってモードダイヤル２０４に共締め固定される。２１１は電源スイッチレバー位相端子であり、プレス曲げ加工等で形成される。
【００６５】
電源スイッチレバー位相端子２１１は、外装カバー１０４の外観面側から組み付けられた電源スイッチレバー２０３の一部がモードダイヤルベース２０１、ＦＰＣ２０７を連通して露出した台座部２０３ａに組み付けられ、締結部材２１２にて固定される。
【００６６】
電源スイッチレバー位相端子２１１はバネ性を有しており、ＦＰＣ２０７上に配設された位相パターン上を電源スイッチレバー２０３に連動して摺動することで、撮像装置１００のメイン電源のＯＮ、ＯＦＦの位相信号を導通させている。
【００６７】
次に、前述したモードダイヤル２０４の円筒状側面に形成された送信ノード３０１、及び、受信ノード３０２で構成されるタッチ検出用パターンの電極ペア配置例に関して説明する。
【００６８】
図５（ａ）、（ｂ）、（ｃ）はモードダイヤル２０４を撮像装置上面から見た際のタッチ検出用パターンの電極ペアの配置例を模式的に表した図である。
【００６９】
例えば、図５（ａ）はモードダイヤル２０４の円筒円周を４分割し、それぞれに送信ノード３０１、及び、受信ノード３０２で構成されるタッチ検出用パターンの電極ペアを配置した場合の模式図である。
【００７０】
電極ペアＡ５０１、Ｂ５０２、Ｃ５０３、Ｄ５０４の各送信ノード３０１は、モードダイヤル２０４の内面側に配設されたパターニングにて接続されており、コモンとなっている。
【００７１】
従い、モードダイヤル２０４の台座部３０４には各電極ペアのコモンとなっている送信ノード３０１のパターンが１個、受信ノード３０２のパターンが４個の計５個のパターンが配置される。
【００７２】
前述した通り、送信ノード３０１の信号と受信ノード３０２の信号は、タッチ検出用端子２０８を介して、ＦＰＣ２０７、不図示の制御基板へと導通する。
【００７３】
上記構成とすることで、モードダイヤル２０４の円筒円周を４分割して配置された電極ペアＡ５０１、Ｂ５０２、Ｃ５０３、Ｄ５０４は、それぞれ独立してタッチ検出が可能となる。
【００７４】
前述したタッチ検出の信号をモードダイヤルユニット１０５の回転ロック機構の解除信号として用いることで、ユーザーがモードダイヤルユニット１０５の所定位置をタッチすれば回転ロック機構の解除が可能となる。
【００７５】
次に、図５（ａ）のモードダイヤル２０４の円筒円周を４分割し、それぞれにタッチ検出用パターンの電極ペアを配置した場合の回転ロック機構の解除動作について説明する。
【００７６】
モードダイヤルユニット１０５のタッチ操作による回転ロック機構の解除は、必ず２箇所以上の電極ペアのタッチ検出が行われた時点で回転ロック解除の制御を行うことが好ましい。
【００７７】
仮に１箇所の電極ペアのタッチ検出で回転ロック解除を行うようにした場合、例えば、ユーザーがモードダイヤルユニット１０５に不用意に触ってしまった場合や、金属物のような導体が触れてしまった場合に、回転ロック解除が行われてしまう可能性がある。
【００７８】
その際、偶然にもモードダイヤルユニット１０５に物体がこすれたり、衝突したりすると、モードダイヤルユニット１０５が回転してしまい、撮影モードが変わってしまう可能性があるためである。
【００７９】
従い、例えば、電極ペアＡ５０１でユーザーのタッチを検知した場合、電極ペアA５０１の対角に配置された電極ペアＣ５０３のタッチを検知した時点で回転ロック機構の解除が制御基板によって行われる構成とすることが好ましい。
【００８０】
対角に配置されている電極ペアのタッチを検知することで、ユーザーがモードダイヤルユニット１０５を操作するべく、意識的に摘まんでいるということを確実に識別することが可能となる。
【００８１】
また、モードダイヤルユニット１０５を操作する際、例えば、電極ペアＡ５０１に加え、隣接する電極ペアB５０２やＤ５０４にユーザーの指が跨いでしまい、電極ペアＡ５０１と、B５０２やＤ５０４が同時にタッチ検出される場合もある。
【００８２】
例えば、電極ペアＡ５０１、Ｄ５０４の両方でタッチを検知した場合、対角に配置されている電極ペアＢ５０２、及び、Ｃ５０３の一方、又は、両方がタッチされたと検知した時点で回転ロック機構の解除が制御基板によって行われる構成とすることが好ましい。
【００８３】
上述した構成とすることで、ユーザーがモードダイヤルユニット１０５に不用意に触ってしまった場合や、金属物のような導体が触れてしまった場合でも、間違って回転ロック機構が解除され、撮影モードが変更されてしまうことを防止することが可能となる。
【００８４】
図５（ａ）を用い、モードダイヤル２０４の円筒円周を４分割し、それぞれにタッチ検出用パターンの電極ペアを配置した場合について説明したが、図５（ｂ）や（ｃ）に示す通り、５分割や６分割で配置した場合についても説明する。
【００８５】
例えば、図５（ｂ）はモードダイヤル２０４の円筒円周を５分割し、それぞれに送信ノード３０１、及び、受信ノード３０２で構成されるタッチ検出用パターンの電極ペアを配置した場合の模式図である。
【００８６】
前述した４分割した場合と同様に、電極ペアＡ５０５、Ｂ５０６、Ｃ５０７、Ｄ５０８、Ｅ５０９の各送信ノード３０１は、モードダイヤル２０４の内面側に配設されたパターニングにて接続されており、コモンとなっている。
【００８７】
モードダイヤル２０４の台座部３０４には各電極ペアのコモンとなっている送信ノード３０１のパターンが１個、受信ノード３０２のパターンが５個の計６個のパターンが配置される。
【００８８】
モードダイヤル２０４の台座部３０４に配置された送信ノード３０１、及び、受信ノードのパターン数に応じた端子数を有するタッチ検出用端子２０８を介して、ＦＰＣ２０７、不図示の制御基板へと導通する。
【００８９】
次に、５分割した場合の回転ロック機構の解除動作について説明する。
【００９０】
例えば、電極ペアＡ５０５でユーザーのタッチを検知した場合、電極ペアA５０５の対角に配置された電極ペアＣ５０７、もしくは、Ｄ５０８のタッチを検知した時点で回転ロック機構の解除が制御基板によって行われる構成とすることが好ましい。
【００９１】
また、Ａ５０５とＥ５０９のように隣接の電極ペアが略同時にタッチを検知した場合は、対角に配置されている電極ペアＣ５０７がタッチされたと検知した場合にのみ回転ロック機構の解除が制御基板によって行われる構成とすることが好ましい。
【００９２】
次に、図５（ｃ）はモードダイヤル２０４の円筒円周を６分割し、それぞれに送信ノード３０１、及び、受信ノード３０２で構成されるタッチ検出用パターンの電極ペアを配置した場合の模式図である。
【００９３】
前述した４分割、及び、５分割した場合と同様に、電極ペアＡ５１０、Ｂ５１１、Ｃ５１２、Ｄ５１３、Ｅ５１４、Ｆ５１５の各送信ノード３０１は、モードダイヤル２０４の内面側に配設されたパターニングにて接続されており、コモンとなっている。
【００９４】
モードダイヤル２０４の台座部３０４には各電極ペアのコモンとなっている送信ノード３０１のパターンが１個、受信ノード３０２のパターンが６個の計７個のパターンが配置される。
【００９５】
モードダイヤル２０４の台座部３０４に配置された送信ノード３０１、及び、受信ノードのパターン数に応じた端子数を有するタッチ検出用端子２０８を介して、ＦＰＣ２０７、不図示の制御基板へと導通する。
【００９６】
次に、６分割した場合の回転ロック機構の解除動作について説明する。
【００９７】
例えば、電極ペアＡ５１０でユーザーのタッチを検知した場合、電極ペアA５１０の対角に配置された電極ペアＤ５１３のタッチを検知した時点で回転ロック機構の解除が制御基板によって行われる構成とすることが好ましい。
【００９８】
６分割の場合は個々の電極ペア範囲が小さくなるので、操作性向上のため電極ペアＤ５１３に加え、隣接する電極ペアＣ５１２、及び、Ｅ５１４のタッチ検出でも回転ロック機構を解除するよう、検出範囲を広げるように制御してもよい。
【００９９】
Ａ５１０、Ｆ５１５のように隣接の電極ペアが略同時にタッチを検知した場合は、対角に配置されている電極ペアＣ５１２、Ｄ５１３の一方、又は、両方がタッチされたと検知した時点で回転ロック機構の解除が制御基板によって行われる構成とすることが好ましい。
【０１００】
上述した構成とすることで、モードダイヤル２０４の円筒円周状に配置する電極ペア数を増やした場合であっても、誤操作による回転ロック機構の解除、及び、撮影モードが変更されてしまうことを防止することが可能となる。
【０１０１】
加えて、モードダイヤルユニット１０５の操作を行う可能性の少ない状況においては、電極ペアへの通電を停止することで、誤操作防止、省電力化といったリスクを更に減少させることが可能となる。
【０１０２】
例えば、縦位置撮影時においては、撮影モードを明示しているモードダイヤルプレート２０６が撮像装置１００の側面になってしまうため、ユーザーにとってはモードダイヤルプレート２０６が見にくい位置となってしまう。
【０１０３】
そのため、ユーザーはそのままモードダイヤルユニット１０５を操作することは考えにくく、撮像装置１００を正位置に戻してからモードダイヤルユニット１０５の操作を行うことが多い。
【０１０４】
従い、不図示の制御基板などに実装された姿勢検知センサ等の出力に応じて、撮像装置１００が縦位置であると判断された場合は、電極ペアへの通電を停止するような制御を行うことが好ましい。
【０１０５】
加えて、ユーザーが撮像装置１００のファインダーを覗いている際も同様であり、接眼検知センサ等の出力によって、ユーザーがファインダーを覗いていると検知された場合は電極ペアへの通電を停止するような制御を行うことが好ましい。
【０１０６】
動画撮影時においても撮影中に撮影モードを変更することは考えにくいため、動画の撮影中においても電極ペアへの通電を停止するような制御を行うことが好ましい。
【０１０７】
また、ユーザーが記録用のメディアカードを交換する場合、撮像装置１００のどこを持つかは各個人によって異なる。
【０１０８】
中にはモードダイヤルユニット１０５近傍に手を添えるユーザーもあり、その際、誤操作による回転ロック機構の解除、及び、撮影モードが変更されてしまう可能性がある。
【０１０９】
また、記録用のメディアカードを交換している最中に撮影モードを変更することも考えにくいため、不図示のメディアスロットを覆う外装カバー等が開いている場合においても、電極ペアへの通電を停止するような制御を行うことが好ましい。
【０１１０】
前述のような構成とすれば、モードダイヤル２０４や撮像装置１００の大型化、及び、コストを増加させることなくモードダイヤル２０４の回転ロック解除の操作性を向上させることが可能となる。
【０１１１】
以上、本発明の好ましい実施形態について説明したが、本発明はこれらの実施形態に限定されず、その要旨の範囲内で種々の変形及び変更が可能である。
【符号の説明】
【０１１２】
１００  撮像装置、１０５  モードダイヤルユニット、２０４  モードダイヤル、
２０７  ＦＰＣ、２０８  タッチ検出用端子、３０１  送信ノードパターン、
３０２  受信ノードパターン
【図１】
2016206358.tif 000003
【図２（ａ）】
2016206358.tif 000004
【図２（ｂ）】
2016206358.tif 000005
【図３（ａ）】
2016206358.tif 000006
【図３（ｂ）】
2016206358.tif 000007
【図４（ａ）】
2016206358.tif 000008
【図４（ｂ）】
2016206358.tif 000009
【図５（ａ）】
2016206358.tif 000010
【図５（ｂ）】
2016206358.tif 000011
【図５（ｃ）】
2016206358.tif 000012